(57)【要約】【課題】  災害発生時の目撃情報を効率的に集めることが可能なセル情報管理装置を提供する。【解決手段】  セル情報管理装置１は、災害発生時に被害者の移動端末から最寄の基地局及び交換機を通して入力される要請に応答して最寄の基地局におけるセル情報の整理を行う整理手段（セル情報整理部１１１）と、その整理した情報を所定機関からの要請に応答して随時提供する提供手段（セル情報提供部１１２）とを有する。【効果】  本発明は、警察等の所定の機関や関係者（ユーザ）がセル情報管理装置が整理した情報を基に、災害が発生した場所の近くにいた人から目撃情報を収集することが可能となる。【選択図】      図２
2009225386.tif 000002
【特許請求の範囲】
【請求項１】
災害発生時に被害者の移動端末から最寄の基地局及び交換機を通して入力される要請に応答して前記最寄の基地局におけるセル情報の整理を行う整理手段と、その整理した情報を所定機関からの要請に応答して随時提供する提供手段とを含むセル情報管理装置を有することを特徴とするセル情報管理システム。
【請求項２】
前記被害者の移動端末は、前記最寄の基地局を通して前記交換機にセル情報の記録を自動的に要請し、
前記交換機は、前記セル情報管理装置に前記セル情報の整理を要請することを特徴とする請求項１記載のセル情報管理システム。
【請求項３】
前記被害者の移動端末は、少なくとも感震及び感音のいずれかのセンサを含み、前記センサにて前記災害の発生を検出した時に前記セル情報の記録を要請することを特徴とする請求項２記載のセル情報管理システム。
【請求項４】
前記セル情報管理装置は、前記整理手段で整理したセル情報を基に前記災害発生時に当該セルに存在していた前記被害者の移動端末以外の移動端末に対して目撃情報を求めるメッセージを発信する収集手段を含むことを特徴とする請求項１から請求項３のいずれか記載のセル情報管理システム。
【請求項５】
前記所定機関は、少なくとも行政機関及び前記災害の関係者を含むことを特徴とする請求項１から請求項４のいずれか記載のセル情報管理システム。
【請求項６】
災害発生時に被害者の移動端末から最寄の基地局及び交換機を通して入力される要請に応答して前記最寄の基地局におけるセル情報の整理を行う整理手段と、その整理した情報を所定機関からの要請に応答して随時提供する提供手段とを有することを特徴とするセル情報管理装置。
【請求項７】
前記整理手段で整理したセル情報を基に前記災害発生時に当該セルに存在していた前記被害者の移動端末以外の移動端末に対して目撃情報を求めるメッセージを発信する収集手段を含むことを特徴とする請求項６記載のセル情報管理装置。
【請求項８】
前記所定機関は、少なくとも行政機関及び前記災害の関係者を含むことを特徴とする請求項６または請求項７記載のセル情報管理装置。
【請求項９】
セル情報管理装置が、災害発生時に被害者の移動端末から最寄の基地局及び交換機を通して入力される要請に応答して前記最寄の基地局におけるセル情報の整理を行う整理処理と、その整理した情報を所定機関からの要請に応答して随時提供する提供処理とを実行することを特徴とするセル情報管理方法。
【請求項１０】
前記被害者の移動端末が、前記最寄の基地局を通して前記交換機にセル情報の記録を自動的に要請し、
前記交換機が、前記セル情報管理装置に前記セル情報の整理を要請することを特徴とする請求項９記載のセル情報管理方法。
【請求項１１】
前記被害者の移動端末が、少なくとも感震及び感音のいずれかのセンサを含み、前記センサにて前記災害の発生を検出した時に前記セル情報の記録を要請することを特徴とする請求項１０記載のセル情報管理方法。
【請求項１２】
前記セル情報管理装置が、前記整理処理で整理したセル情報を基に前記災害発生時に当該セルに存在していた前記被害者の移動端末以外の移動端末に対して目撃情報を求めるメッセージを発信する収集処理を実行することを特徴とする請求項９から請求項１１のいずれか記載のセル情報管理方法。
【請求項１３】
前記所定機関は、少なくとも行政機関及び前記災害の関係者を含むことを特徴とする請求項９から請求項１２のいずれか記載のセル情報管理方法。
【発明の詳細な説明】
【技術分野】
【０００１】
本発明は目撃情報収集システム、セル情報管理装置及びそれらに用いるセル情報管理方法に関し、特に交通事故等の災害時の目撃情報の収集方法に関する。
【背景技術】
【０００２】
上記の交通事故等の災害が発生した場合には、警察等の関係者が、その災害発生当時に、発生場所近くにいた人から目撃情報を収集するために、看板等を立てたり、チラシやビラを配布して、目撃情報の報知を待っているのが実情である。
【０００３】
上記の目撃情報を収集するシステムとしては、ユーザ通信端末からの不審者及び不審物の情報を含む目撃情報をデータベースに保存し、そのデータベースを検索して当該目撃情報に係る位置情報が示す位置の近くにいる他のユーザ通信端末のいずれかに当該目撃情報を報知するシステムが提案されている（例えば、特許文献１参照）。
【特許文献１】特開２００５−２２９４６２号公報
【発明の開示】
【発明が解決しようとする課題】
【０００４】
上述した本発明に関連する目撃情報の収集方法では、事故当時、現場いた有力な目撃者もほとんどが交通機関等によって移動してしまっているため、十分な情報が集められないという問題がある。上記の特許文献１に記載の技術では、ユーザ通信端末から不審者及び不審物の情報を含む目撃情報が送られてくるのを待つだけなので、やはり十分な情報が集められないという問題がある。
【０００５】
そこで、本発明の目的は上記の問題点を解消し、災害発生時の目撃情報を効率的に集めることができる目撃情報収集システム、セル情報管理装置及びそれらに用いるセル情報管理方法を提供することにある。
【課題を解決するための手段】
【０００６】
本発明による目撃情報収集システムは、災害発生時に被害者の移動端末から最寄の基地局及び交換機を通して入力される要請に応答して前記最寄の基地局におけるセル情報の整理を行う整理手段と、その整理した情報を所定機関からの要請に応答して随時提供する提供手段とを含むセル情報管理装置を備えている。
【０００７】
本発明によるセル情報管理装置は、災害発生時に被害者の移動端末から最寄の基地局及び交換機を通して入力される要請に応答して前記最寄の基地局におけるセル情報の整理を行う整理手段と、その整理した情報を所定機関からの要請に応答して随時提供する提供手段とを備えている。
【０００８】
本発明によるセル情報管理方法は、セル情報管理装置が、災害発生時に被害者の移動端末から最寄の基地局及び交換機を通して入力される要請に応答して前記最寄の基地局におけるセル情報の整理を行う整理処理と、その整理した情報を所定機関からの要請に応答して随時提供する提供処理とを実行している。
【発明の効果】
【０００９】
本発明は、上記のような構成及び動作とすることで、災害発生時の目撃情報を効率的に集めることができるという効果が得られる。
【発明を実施するための最良の形態】
【００１０】
次に、本発明の実施の形態について図面を参照して説明する。まず、本発明の概要について説明する。本発明による目撃情報収集システムでは、少なくとも交通事故等の災害発生時に、自動的に被害者の携帯端末から最寄の基地局を通して交換機にセル情報の記録を要請し、交換機がセル情報管理装置に情報整理を要請し、セル情報管理装置が整理した情報を、警察等の所定機関や関係者からの要請に応じて随時提供している。
【００１１】
これによって、本発明では、警察等の所定機関や関係者がセル情報管理装置が整理した情報を基に、災害が発生した場所の近くにいた人（災害が発生した場所の近くの基地局のセル内に災害発生時に在圏していた移動端末）から目撃情報を収集することが可能となるので、災害発生時の目撃情報を効率的に集めることができる。
【００１２】
図１は本発明の第１の実施の形態による目撃情報収集システムの構成例を示すブロック図である。図１において、本発明の第１の実施の形態による目撃情報収集システムは、セル情報管理装置１と、交通事故等の被害者及びその近傍にいた目撃者等が所持する移動端末（例えば、携帯電話機）２Ａ〜２Ｄと、交通事故等の発生場所を含むセルＸを管理する基地局３と、交換機４と、センタ（所定の期間またはユーザ等の使用する情報端末）５とから構成されている。
【００１３】
本実施の形態では、交通事故等の災害発生時に、自動的に被害者の移動端末２Ａから最寄の基地局３を通して交換機４にセル情報の記録を要請し、交換機４がセル情報管理装置１に情報整理を要請し、セル情報管理装置１が整理した情報を所定の機関（警察等）やユーザ等の関係者からの要請によって随時提供している。
【００１４】
図２は図１のセル情報管理装置１の構成例を示すブロック図である。図２において、セル情報管理装置１は、制御部［例えば、ＣＰＵ（中央処理装置）等］１１と、セル情報データ等の入出力を行うデータ入出力部１２と、入力されたセル情報を保存するセル情報保存部１３と、制御部１１が実行するプログラム等を記憶するメモリ１４とを備えている。
【００１５】
制御部１１は、交換機４から送られてくるセル情報データを整理するセル情報整理部１１１と、その整理したセル情報データを所定の機関（警察等）やユーザ等の関係者からの要請によって随時提供するセル情報提供部１１２とを含んでいる。尚、制御部１１内のセル情報整理部１１１及びセル情報提供部１１２は、制御部１１がメモリ１４のプログラムを実行することで実現される。
【００１６】
図３は図１の移動端末２Ａ〜２Ｄの構成例を示すブロック図である。図３において、移動端末２は、アンテナ２０と、制御部（例えば、ＣＰＵ等）２１と、無線送受信部２２と、センサ（感震、感音等のセンサ）２３と、撮像部（カメラ）２４と、制御部２１が実行するプログラム等を記憶するメモリ２５と、表示部２６と、音声入出力部（マイクやスピーカ等）２７と、操作部（キー入力部やカーソルデバイス等）２８とを備えている。
【００１７】
制御部２１は、センサ２３から異常検出信号（上記の災害の検出信号）が入力された時に移動端末２を駆動して自動的に基地局にセル情報記録を要請するための駆動部２１１を備えている。尚、制御部２１内の駆動部２１１は、制御部２１がメモリ２５のプログラムを実行することで実現される。
【００１８】
図４は本発明の第１の実施の形態による目撃情報収集システムの動作を示すシーケンスチャートである。これら図１〜図４を参照して本発明の第１の実施の形態による目撃情報収集システムの動作について説明する。尚、図４においては、移動端末Ｄの表記を省略している。
【００１９】
交通事故等の災害発生時に（図４のａ１）、被害者の移動端末２Ａは、センサ２３からの異常検出信号（上記の災害の検出信号）の入力によって駆動部２１１が端末本体を駆動するので（図４のａ２）、制御部２１が無線送受信部２２を介して自動的に基地局３にセル情報記録（時刻ＴのセルＸの情報の記録）を要請する［図１の（１）、図４のａ３］。
【００２０】
基地局３は、移動端末２Ａからセル情報記録の要請を受けると、交換機３を通してセル情報管理装置１にセル情報の記録を要請する［図１の（２），（３）、図４のａ４，ａ５］。セル情報管理装置１は、災害発生時のセル情報データを整理してセル情報保存部１３に記録する（図４のａ６）。
【００２１】
セル情報管理装置１は、センタ５等の第３者からデータ閲覧要請が発生すると［図１の（４）、図４のａ７］、要求先の第３者に対して該セル情報データを送信する［図１の（５）、図４のａ８］。
【００２２】
このように、本実施の形態では、警察等の所定の機関や関係者（ユーザ）がセル情報管理装置１が整理した情報を基に、災害が発生した場所の近くにいた人（災害が発生した場所の近くの基地局のセル内に災害発生時に在圏していた移動端末２Ｂ〜２Ｄ）から目撃情報を収集することが可能となるので、災害発生時の目撃情報を効率的に集めることができる。
【００２３】
図５は本発明の第２の実施の形態による目撃情報収集システムの構成例を示すブロック図である。図５において、本発明の第２の実施の形態による目撃情報収集システムは、その基本的な構成が図１に示す本発明の第２の実施の形態による目撃情報収集システムと同様であるが、セル情報管理装置１ａの動作が異なっている。
【００２４】
本実施の形態では、セル情報管理装置１ａが整理したセル情報から、災害発生当時、セルＸに存在していた移動端末２Ｂ〜２Ｄに対して目撃情報を求める電子メール等の発信を行い、収集した目撃情報をセル情報データに追記している。
【００２５】
図６は図５のセル情報管理装置１ａの構成例を示すブロック図である。図６において、セル情報管理装置１ａは、制御部１１ａ内に、災害発生当時、セルＸに存在していた移動端末２Ｂ〜２Ｄのうちのいずれかを選択する端末選択部１１３と、端末選択部１１３で選択された移動端末２Ｂ〜２Ｄに目撃情報を求める電子メール等の発信を行う目撃情報収集部１１４とを追加したい害は、図２に示すセル情報管理装置１と同様の構成となっており、同一構成要素には同一符号を付してある。
【００２６】
目撃情報収集部１１４は、セル情報整理部１１１で整理された情報から、事故当時、当該セルＸに存在していた移動端末２Ｂ〜２Ｄに対して目撃情報を求める電子メール等の発信を行う。
【００２７】
図７は本発明の第２の実施の形態による目撃情報収集システムの動作を示すシーケンスチャートである。これら図５〜図７を参照して本発明の第２の実施の形態による目撃情報収集システムの動作について説明する。尚、図７においては、移動端末Ｄの表記を省略している。
【００２８】
交通事故等の災害発生時に（図７のｂ１）、被害者の移動端末２Ａは、センサ２３からの異常検出信号（上記の災害の検出信号）の入力によって駆動部２１１が端末本体を駆動するので（図７のｂ２）、制御部２１が無線送受信部２２を介して自動的に基地局３にセル情報記録（時刻ＴのセルＸの情報の記録）を要請する［図５の（１）、図７のｂ３］。
【００２９】
基地局３は、移動端末２Ａからセル情報記録の要請を受けると、交換機３を通してセル情報管理装置１にセル情報の記録を要請する［図５の（２），（３）、図７のｂ４，ｂ５］。セル情報管理装置１は、災害発生時のセル情報データを整理してセル情報保存部１３に記録する（図７のｂ６）。
【００３０】
セル情報管理装置１は、セル情報データを照合して、災害発生時に当該セルＸに存在した移動端末２Ｂ〜２Ｄに対して、目撃情報を求める電子メール等にてメッセージを送信する［図５の（４）、図７のｂ７］。セル情報管理装置１は、例えば、そのメッセージに対して移動端末２Ｃから目撃情報が送信されてくると、その目撃情報をセル情報データに追記する［図５の（５）、図７のｂ８，ｂ９］。尚、目撃情報としては、災害発生時に撮像部２４で撮像した画像データを含めることも可能である。
【００３１】
このように、本実施の形態では、セル情報管理装置１が整理したセル情報データを基に、災害が発生した場所の近くにいた人（災害が発生した場所の近くの基地局３のセルＸ内に災害発生時に在圏していた移動端末２Ｂ〜２Ｄ）から目撃情報を収集してセル情報データに追記するので、災害発生時の目撃情報を効率的に集めることができる。
【図面の簡単な説明】
【００３２】
【図１】本発明の第１の実施の形態による目撃情報収集システムの構成例を示すブロック図である。
【図２】図１のセル情報管理装置の構成例を示すブロック図である。
【図３】図１の移動端末の構成例を示すブロック図である。
【図４】本発明の第１の実施の形態による目撃情報収集システムの動作を示すシーケンスチャートである。
【図５】本発明の第２の実施の形態による目撃情報収集システムの構成例を示すブロック図である。
【図６】図５のセル情報管理装置の構成例を示すブロック図である。
【図７】本発明の第２の実施の形態による目撃情報収集システムの動作を示すシーケンスチャートである。
【符号の説明】
【００３３】
１，１ａ  セル情報管理装置
２，２Ａ〜２Ｄ  移動端末
３  基地局
４  交換機
５  センタ
１１，１１ａ  制御部
１２  データ入出力部
１３  セル情報保存部
１４  メモリ
２０  アンテナ
２１  制御部
２２  無線送受信部
２３  センサ
２４  撮像部
２５  メモリ
２６  表示部
２７  音声入出力部
２８  操作部
１１１  セル情報整理部
１１２  セル情報提供部
１１３  端末選択部
１１４  目撃情報収集部
２１１  駆動部
【図１】
2009225386.tif 000003
【図２】
2009225386.tif 000004
【図３】
2009225386.tif 000005
【図４】
2009225386.tif 000006
【図５】
2009225386.tif 000007
【図６】
2009225386.tif 000008
【図７】
2009225386.tif 000009